(57)【要約】      （修正有）【課題】利用者の側頭部でシールド板を支持するヘッドバンド型であり、頭部を揺らしたり顔の向きを変えたりしてもシールド板を安定的に支持し、良好な着用感が得られるフェイスシールド用フレームを提供する。【解決手段】シールド板３が取り付けられる前側枠部と前側枠部との左右両端部から後方へ連なった左右の側枠部からなる外側フレーム２１と、左右の側枠部の後端部の分岐部で分岐してそれぞれ前方内向き及び後方内向きに湾曲した一対の弓形の内側フレーム２２、２２とによりフェイスシールド用フレーム１を構成する。内側フレーム２２、２２間を広げながら利用者の頭部に被せて両内側フレーム２２、２２で左右の側頭部を挟み持って利用者の頭部に固定し、シールド板３が取り付けられた前側枠部を頭部の前方で保持する。【選択図】図１
0003231821.tif 000002
【実用新案登録請求の範囲】
【請求項１】
フェイスシールド用のシールド板を支持するヘッドバンド型のプラスチック製のフレームにおいて、
シールド板が取り付けられる前側枠部と前側枠部の左右両端部から後方へ連なった左右の側枠部からなる外側フレームと、
前記左右の側枠部の後端部で分岐してそれぞれ前方内向き及び後方内向きに湾曲した一対の弓形の内側フレームとを備え、
前記内側フレーム間を広げながら利用者の頭部に被せて両内側フレームで左右の側頭部を挟み持ち、前記シールド板が取り付けられた前側枠部を頭部の前方に保持して利用者の頭部に固定される構成を有することを特徴とするフェイスシールド用フレーム。
【請求項２】
外側フレームの左右の側枠部は前側枠部よりも肉薄に設けられ、この左右の側枠部の後端部の内側フレームが分岐する部分に当該側枠部よりも肉厚の分岐部がそれぞれ設けられ、両分岐部から分岐する内側フレームは、前記前側枠部及び分岐部よりも肉薄に設けられていることを特徴とする請求項１に記載のフェイスシールド用フレーム。
【請求項３】
成形されたフレームの曲げ弾性率が１０００〜１５００Ｍｐａであり、外側フレームの前側枠部の内外方向の厚みが５〜７ｍｍ、内側フレームの内外方向の厚みが２〜３ｍｍであることを特徴とする請求項１又は２に記載のフェイスシールド用フレーム。
【請求項４】
請求項１から３の何れかに記載のフェイス用フレームと、このフレームの外側フレームの前側枠部に取り付けられるシールド板からなるフェイスシールド。
【請求項５】
シールド板の下部に、その端縁部から上向きに延びた一対のスリットが設けられているとともに、両スリットの一側に差込部を形成する切り込み、他側に被差込部を形成する切り込みがそれぞれ形成されていることを特徴とする請求項４に記載のフェイスシールド。
【考案の詳細な説明】
【技術分野】
【０００１】
本考案は、透明なシールド板を取り付けてフェイスシールドを構成するヘッドバンド型のフレームの構造に関する。
【背景技術】
【０００２】
新型コロナ感染症の感染予防対策として、公共交通機関や人の集まる施設などではマスクを着用することが周知徹底され、口元を見せながら作業やサービス、指導をすることが必要な職種ではフェイスシールドを使用して飛沫の飛散を防ぐようにしている。
【０００３】
フェイスシールドは、安全衛生の観点から利用者の顔を覆うシールド板が使い捨て用として設計されており、使用環境に合わせて様々な形態のものが用いられている。
例えば、シールド板の本体部分を、中間部材を介して利用者の額に当て、シールド板の周辺部の帯状に突出した部分を頭部に巻き付けたり、額に当てた前記本体部分をゴムバンドで留め付けたりして利用者の頭部に固定する形態のものが広く流通している。
メガネ型のフレームでシールド板を支持する形態のものは、呼気や顔の熱気でシールド板の内側が曇りにくい点、頭部全体をゴムバンドなどで留め付ける必要がない点などから広く利用されている（例えば特許文献１参照）。
また、フレームが顔に接触せずにシールド板を支持することができるようにしたヘッドバンド型のシールド板支持用フレームも開発されている（例えば特許文献２、３及び４参照）。
【先行技術文献】
【特許文献】
【０００４】
【特許文献１】特許第６７４７２９６号公報
【特許文献２】実用新案登録第３２３００２４号公報
【特許文献３】実用新案登録第３２２８６８２号公報
【特許文献４】実用新案登録第３２２８５０１号公報
【考案の概要】
【考案が解決しようとする課題】
【０００５】
前記流通しているフェイスシールドのうち、シールド板の周辺部を頭部に巻き付ける形態のものやゴムバンドでシールド板を留め付ける形態のもの、メガネ型のフレームでシールド板を支持する形態のものは、シールド板自体やフレームが利用者の額や鼻周りに接触して押し付けられるため皮膚に負担がかかり、着用感も芳しいものではなかった。フレームに化粧が付着することを気にする女性の利用者も多く、また、特に利用者の顔の正面にフレームが架け渡されるメガネ型のフレームは、利用者の表情が読み取りづらいという問題があった。
【０００６】
ヘッドバンド型のフレームは、利用者の側頭部でシールド板を支持する構造であり、額や鼻周りにフレームが押し付けられることはなく皮膚への負担は少ないが、利用者が頭部を前後に揺らしたり顔の向きを変えたりするとシールド板が容易にずれやすいという問題があった。シールド板がずれる都度、手でシールド板の位置を直したり調整したりしなければならなかった。
【０００７】
本考案は従来技術の有するこのような問題点に鑑み、利用者の側頭部でシールド板を支持するヘッドバンド型のフェイスシールド用フレームにおいて、頭部を揺らしたり顔の向きを変えたりしても、当初の装着位置にシールド板を安定的に支持し、良好な着用感が得られるようにすることを課題とする。
【課題を解決するための手段】
【０００８】
前記課題を解決するため本考案は、フェイスシールド用のシールド板を支持するヘッドバンド型のプラスチック製のフェイスシールド用フレームにおいて、
シールド板が取り付けられる前側枠部と前側枠部の左右両端部から後方へ連なった左右の側枠部からなる外側フレームと、
前記左右の側枠部の後端部で分岐してそれぞれ前方内向き及び後方内向きに湾曲した一対の弓形の内側フレームとを備え、
前記内側フレーム間を広げながら利用者の頭部に被せて両内側フレームで左右の側頭部を挟み持ち、前記シールド板が取り付けられた前側枠部を頭部の前方に保持して利用者の頭部に固定される構成を有することを特徴とする。
【０００９】
本考案のフェイスシールドは、前記構成のフレームとシールド板からなり、外側フレームの前側枠部にシールド板を取り付けて構成され、利用者は前記内側フレーム間を広げながら頭部に被せ、両内側フレームで左右の側頭部を挟み持つことで頭部に装着することができる。
頭部に装着されたフェイスシールドは、外側フレームに取り付けられたシールド板が利用者の顔の前方に支持されて、利用者の額から顎の下方に至る顔の全体をシールド板で覆って保護することができる。また、利用者の左右の側頭部に内側フレームが圧接することでシールド板が取り付けられたフレームが利用者の頭部に固定されるので、額や鼻周りといった顔にフレームが当たらず、利用者の肌に与える負担を小さく抑えることができる。フェイスシールドを装着したときにフレームが顔に直に接することにより感取される、圧迫感やうっとうしさなどの不快感を利用者に与えることはなく、良好な着用感を得ることができる。
【００１０】
前記構成のフェイスシールド用フレームにおいて、外側フレームの左右の側枠部は前側枠部よりも肉薄に設けられ、この左右の側枠部の後端部の内側フレームが分岐する部分に当該側枠部よりも肉厚の分岐部がそれぞれ設けられ、両分岐部から分岐する内側フレームは、前記前側枠部及び分岐部よりも肉薄に設けられていることが好ましい。
なお、ここでいう「肉薄」と「肉厚」とは、フレームを水平な面上に置いたときの、各部の内外方向、つまり水平方向に沿った厚みが薄いこと（肉薄）と厚いこと（肉厚）をいう。各部の鉛直方向に沿った厚み、つまり高さは、外側フレーム、内側フレーム及び分岐部ともに同じ高さに形成される。
【００１１】
これによれば、外側フレームは前側枠部が厚肉、左右の側枠部がそれよりも薄肉に形成されているので、左右の側枠部を前側枠部との付け根部を軸に内外方向へ反らして弾性変形させることが可能であり、フェイスシールドを装着する際に、外側フレームの左右の側枠部間を押し広げながらフレームを頭部に装着することができ、装着後は左右の側枠部間を狭める方向に作用する弾性により、左右の側枠部の内側で分岐した内側フレームを頭部に圧接し固定させることができる。
また、前記分岐部が肉厚に設けられ、この分岐部から分岐した内側フレームが肉薄に形成されているので、弓形に湾曲した内側フレームの両端部を分岐部との付け根部を軸に内外方向へ反らして弾性変形させることが可能であり、フェイスシールドを装着する際に、利用者の左右の側頭部に沿って内側フレームが弾性変形して圧接し、内側フレームの前方内向きに湾曲した部分で側頭部から前頭部に亘る部分を押さえ、後方内向きに湾曲した部分で側頭部から後頭部に亘る部分を押さえてフェイスシールドを頭部に固定させることができる。
内側フレームで、利用者の頭部をその左右の側頭部から前頭部及び後頭部に亘る部分を挟み込んでいるので、利用者がフェイスシールドを装着したまま頭部を前後に揺らしたり顔の向きを変えたりしても、頭部に対してフレームがずれにくく、外側フレームに取り付けられたシールド板を利用者の顔の前方に安定的に保持することができる。
【００１２】
本考案のフェイスシールド用フレームは、前記のように外側フレームの左右の側枠部と内側フレームが前記前側枠部と分岐部との接続部から弾性変形することで、フレームが頭部に安定的に固定されるようにしている。この場合の、頭部に固定するのに適正なフレームの弾性条件としては、成形されたフレームの曲げ弾性率が１０００〜１５００Ｍｐａであることが好ましい。また、外側フレームの前側枠部の内外方向の厚みが５〜７ｍｍ、内側フレームの内外方向の厚みが２〜３ｍｍに設定されていることが好ましい。
フレームの材料は、特に制限はないが、曲げ弾性率、成形加工性の点から、ポリプロピレンが好ましい。
【００１３】
本考案のフェイスシールドにおいて、シールド板はその下部に、当該下部の端縁部から上向きに延びた一対のスリットが設けられているとともに、両スリットの一側に差込部を形成する切り込み、他側に被差込部を形成する切り込みがそれぞれ形成されていることが好ましい。
これによれば、シールド板のスリットの外側の部分をスリットに沿って湾曲変形させて、スリットの内側の部分に覆い重ねたときに、前記差込部である切り込みを被差込部である切り込みに差し込むと、元の形状に戻ろうとする弾性力が作用して差込部が被差込部に係合して湾曲変形した状態が保持され、シールド板の下部がお椀型となって、利用者の顔の下部である顎の左右両側と下側を覆って保護し、口元への飛沫汚染を効果的に防ぐことが可能である。
【図面の簡単な説明】
【００１４】
【図１】本考案の一実施形態のフェイスシールドを頭部に装着した状態の正面外観図である。
【図２】図１の側面外観図である。
【図３】図１の上面外観図である。
【図４】図１のフェイスシールドを構成するフレームの外観図である。
【図５】図１のフェイスシールドを構成するシールド板の表面図である。
【考案を実施するための形態】
【００１５】
本考案の好適な一実施形態を、図面を参照して説明する。
なお、以下の実施形態は本考案を説明するための例示であり、本考案は実施形態のみに限定されるものではない。
【００１６】
図１は本考案の一実施形態のフェイスシールドを頭部に装着したときの正面外観、図２は側面外観、図３は上面外観をそれぞれ示している。
図示されるように本形態のフェイスシールド１は、プラスチック製のヘッドバンド型のフレーム２と、フレーム２に取り付けられる透明なプラスチック製のシールド板３とからなり、フレーム２を利用者の頭部に装着して後述するフレーム２の内側フレーム２２，２２で左右の側頭部を挟み持つことで頭部に固定され、フレーム２に取り付けたシールド板３が利用者の顔の前方に支持されるように構成してある。
【００１７】
フレーム２は、合成樹脂などの弾性を有する材料により成形され、図４に示されるように、外側フレーム２１と一対の内側フレーム２２，２２とを有して一体に形成してある。
外側フレーム２１は、シールド板３が取り付けられる略々下向きコ字形に屈曲した前側枠部２１ａと、前側枠部２１ａの左右両端部から後方へ連なった左右の側枠部２１ｂ，２１ｂとを備えた形状に形成されている。前側枠部２１ａの前面の中央と左右に屈曲した部分には後述するシールド板３の挿通部３６が係合する鉤状突起２１ｃが設けてある。
【００１８】
内側フレーム２２，２２は、前記外側フレーム２１の左右の側枠部２１ｂ，２１ｂの後端部に設けられた分岐部２３，２３で分岐して、それぞれ前方内向きに湾曲した前方湾曲部２２ａと後方内向きに湾曲した後方湾曲部２２ｂとが弓形に連なった形状に形成されている。
【００１９】
詳しくは、外側フレーム２１は前側枠部２１ａが厚肉、左右の側枠部２１ｂ，２１ｂがそれよりも薄肉に形成されており、左右の側枠部２１ｂ、２１ｂは前側枠部２１ａとの付け根部を軸に内外方向へ反って弾性変形することができるようになっている（図４中の破線参照）。
また、左右の側枠部２１ｂ，２１ｂの後端部に設けられた分岐部２３，２３は前記前側枠部２１ａと同様に厚肉に形成され、この分岐部２３，２３から分岐した内側フレーム２２，２２は前記前側枠部２１ａ及び分岐部２３，２３よりも薄肉に形成されて、内側フレーム２２，２２の弓形に連なった前後の湾曲部２２ａ，２２ｂは、分岐部２３との付け根部を軸に内外方向へ反って弾性変形することができるようになっている（図４中の破線参照）。
【００２０】
そして、後述するシールド板３が取り付けられたフレーム２を利用者がその頭部に装着する際に、外側フレーム２の左右の側枠部２１ｂ，２１ｂ間を押し広げながら頭部に装着することができ、装着後は左右の側枠部２１ｂ，２１ｂ間を狭める方向に作用する弾性により、左右の側枠部２１ｂ，２１ｂの内側で分岐した内側フレーム２２，２２を頭部に圧接し固定させることができるようになっている。
また、前記分岐部２３，２３が肉厚に設けられ、内側フレーム２２，２２が肉薄に形成されているので、前記フレーム２を利用者が頭部に装着する際に、利用者の左右の側頭部に沿って内側フレーム２２，２２が弾性変形して圧接し、内側フレーム２２，２２の前方湾曲部２２ａ，２２ａで側頭部から前頭部に亘る部分を押さえ、後方湾曲部２２ｂ，２２ｂで側頭部から後頭部に亘る部分を押さえて頭部に固定させることができるようになっている。
【００２１】
シールド板３は、図５示されるように、上下辺部３２，３３と左右側辺部３４，３５で周囲が囲われた略々方形状を呈する本体板３１からなる透明なプラスチックシートであり、前記フレーム２に取り付けて頭部に装着したときに、利用者の顔全体を保護し得る大きさに形成されている。
【００２２】
詳しくは、シールド板３は、透明なプラスチック材料、例えばポリプロピレンやポリスチレン、ポリエチレンテレフタレート（ＰＥＴ）などのポリエステル系樹脂、エチレンビニルアルコール共重合体、ポリ塩化ビニル、ポリ塩化ビニリデン、生分解性樹脂などプラスチック素材などからなる薄肉なシート材を用いて形成することができる。強度や剛性、透明性、折り曲げ加工性、耐熱変形性などの点でからは、Ａ−ＰＥＴ（非晶性エチレンテレフタレート系ポリエステル樹脂）を用いることが好ましい。
【００２３】
シールド板３を成形するシート材は、その厚みが０．１ｍｍから０．５ｍｍ程度のものを用いることができる。シート材は、やわらかすぎず、ある程度の腰を有するものであることが好ましい。
また、シート材に防曇剤を練り込んだり、シート材表面に防曇加工や反射防止加工が施したりしたシート材を用いることができる。シート材表面に防曇加工を施す場合は、少なくともシールド板３の内面側に加工することが好ましく、両面加工してもよい。シート材表面に反射防止加工を施す場合は、両面加工することが好ましい。中でも、防曇剤と反射防止剤とを配合した塗布液をシート材両面に塗工し、防曇機能と反射防止機能を有する機能層を形成したものが好ましい。
シールド板３の成形は、前記素材からなるシート材をプレス加工して、シート表面に折り曲げ罫線を設けると同時に周囲を型抜きすることにより行うことができる。
【００２４】
シールド板３の本体板３１の上部には、前記外側フレーム２１の前側枠部２１ａの前面に設けられた鉤状突起２１ｃ，２１ｃ，２１ｃが挿通して係合する、Ｕ字形の切れ目からなる挿通部３６，３６，３６が形成してある。
【００２５】
また、本体板３１は、その下辺部３３と左右側辺部３４，３５が連なる隅角部を適宜に湾曲させてあるとともに、その下部に、下辺部３３の端縁部から上向きに延びた一対のスリット３７，３７と、それぞれ一対の切り込み３８，３８，３９，３９とを形成してある。
より詳しくは、本体板３１の下部に設けられたスリット３７，３７は、前記下辺部３３の中央部で適宜な間隔を開けて、端縁部から上向きに延びており、両スリット３７，３７の内側には、それぞれ当該本体板３１の中央寄りに向けて湾曲した半円形の切り込み３８，３８、外側には、それぞれスリット３７，３７に対して末広がり状に傾斜した略直線状の切り込み３９，３９を配置してある。
前記半円形の切り込み３８は差込部、略直線状の切り込み３９は被差込部を形成し、スリット３７の外側の部分である本体板３１の湾曲した隅角部の部分をスリット３７に沿って湾曲変形させて、スリット３７，３７の間の内側の部分に覆い重ねたときに、半円形の切り込み３８を切り込み３９に差し込むと、前記隅角部が元の形状に戻ろうとする弾性力が作用して半円形の切り込み３８が切り込み３９に係合して湾曲変形した状態が保持される。このように本体板３１の下辺部３３の両側を湾曲変形させることで、シールド板３の下部がお椀型となってフレーム２に取り付けて顔に装着したときに利用者の喉元側へ湾曲し（図２参照）、利用者の顔の下部である顎の左右両側と下側を覆って保護することができるようになっている。
【００２６】
前記フレーム２とシールド板３からなる本形態のフェイスシールド１は、前記外側フレーム２１の前側枠部２１ａの前面にシールド板３の本体板３１の上部を重ね、本体板３１に形成された各挿通部３６に前側枠部２１ａに設けられた各鉤状突起２１ｃを通して係合することで、フレーム２にシールド板３が取り付けられる。
そして、利用者はフレーム２の内側フレーム２２，２２間を広げながら頭部に被せ、両内側フレーム２２，２２で左右の側頭部を挟み持つことでフェイシールド１を頭部に装着することができる。
【００２７】
図１から３に示されるように、頭部に装着されたフェイスシールド１は、外側フレーム２１に取り付けられたシールド板３が利用者の顔の前方に支持されて、利用者の額から顎の下側に至る顔の前方領域と、両耳の前側から両頬及び顎の左右に至る顔の左右側方領域と、顎の下方領域との顔全体をシールド板３で覆って保護することができる。
利用者の左右の側頭部に内側フレーム２２，２２が圧接することでシールド板３が取り付けられたフレーム２が利用者の頭部に固定されるので、額や鼻周りといった顔にフレームが当たらず、利用者の肌に与える負担を小さく抑えることができ、フレームが顔に直に接することにより感取される、圧迫感やうっとうしさなどの不快感を利用者に与えることはなく、良好な着用感を得ることができる。
【００２８】
また、フェイスシールド１のフレーム２を利用者が頭部に装着する際に、利用者の左右の側頭部に沿って内側フレーム２２，２２が弾性変形して圧接し、内側フレーム２２，２２の前方湾曲部２２ａ，２２ａで側頭部から前頭部に亘る部分を押さえ、後方湾曲部２２ｂ，２２ｂで側頭部から後頭部に亘る部分を押さえて頭部に固定されるように設けられているので、利用者がフェイスシールド１を装着したまま頭部を前後に揺らしたり顔の向きを変えたりしても、フレーム２がずれにくく、外側フレーム２１に取り付けられたシールド板３を利用者の顔の前方に安定的に保持することが可能である。
【００２９】
なお、図示したフェイスシールド１の形態は一例であり、本考案は他の適宜な形態で構成可能である。
【符号の説明】
【００３０】
１  フェイスシールド、２  フレーム、２１  外側フレーム、２１ａ  前側枠部、２１ｂ  側枠部、２１ｃ  鉤状突起、２２  内側フレーム、２２ａ 前方湾曲部、２２ｂ  後方湾曲部、２３  分岐部、３  シールド板
【図１】
0003231821.tif 000003
【図２】
0003231821.tif 000004
【図３】
0003231821.tif 000005
【図４】
0003231821.tif 000006
【図５】
0003231821.tif 000007